(57)【特許請求の範囲】
【請求項１】
平面横長長方形状の底面部の四方周縁に一定高さの周壁部を一体に形成してなる汁受け皿部の前半部と後半部とに夫々バーナーヘッド露出用孔を穿設しているとともに、上記周壁部の上端に所定幅の水平フランジ部を突設してなり、受け皿の前後周壁部間の幅が異なるシステムコンロの上記受け皿に敷設可能なガスコンロ用マットにおいて、上記汁受け皿部の前後周壁部のいずれか一方を外方に膨出させて圧壊可能な膨出壁部を形成し、この膨出壁部をそのままの状態、或いは、内側方に圧壊することによって、上記膨出壁部の突出端と該膨出壁部を形成した汁受け皿部の周壁部に平行する他方の周壁部との間の幅を上記システムコンロの受け皿の前後周壁部間の幅に適合可能に形成していることを特徴とするガスコンロ用マット。
【発明の詳細な説明】
【０００１】
【発明の属する技術分野】
本発明は、システムコンロの受け皿上に敷設して受け皿の汚染を防止するためのガスコンロ用マット、詳しくは、受け皿の前後周壁部間の寸法にかかわらず種々のシステムコンロの受け皿上に敷設することができるガスコンロ用マットに関する。
【０００２】
【従来の技術】
従来からシステムコンロの受け皿の汚染を防止するために、該受け皿上にガスコンロ用マットを敷設することが一般的に行われている。このようなガスコンロ用マットとしては、平面横長長方形状の汁受け皿部の前半部及び後半部の夫々にバーナーヘッド露出用孔が穿設されてなるものが提供されている。
【０００３】
しかしながら、システムコンロの受け皿の前後周壁部間の寸法は統一化されておらず、メーカーや機種毎に若干異なっており、上記従来から提供されているガスコンロ用マットでは、一のシステムコンロの受け皿には敷設することができるものの、他のシステムコンロの受け皿には敷設できないといった不測の事態が頻繁に生じ、折角購入したものの敷設することができないといった問題を有していた。
【０００４】
【発明が解決しようとする課題】
本発明は、システムコンロの受け皿における前後周壁部間の寸法が広い場合であっても狭い場合であっても、システムコンロの受け皿上に円滑且つ確実に敷設することができ、受け皿の汚染を確実に防止することができるガスコンロ用マットを提供する。
【０００５】
【課題を解決するための手段】
本発明のガスコンロ用マットは、平面横長長方形状の底面部の四方周縁に一定高さの周壁部を一体に形成してなる汁受け皿部の前半部と後半部とに夫々バーナーヘッド露出用孔を穿設しているとともに、上記周壁部の上端に所定幅の水平フランジ部を突設してなり、受け皿の前後周壁部間の幅が異なるシステムコンロの上記受け皿に敷設可能なガスコンロ用マットにおいて、上記汁受け皿部の前後周壁部のいずれか一方を外方に膨出させて圧壊可能な膨出壁部を形成し、この膨出壁部をそのままの状態、或いは、内側方に圧壊することによって、上記膨出壁部の突出端と該膨出壁部を形成した汁受け皿部の周壁部に平行する他方の周壁部との間の幅を上記システムコンロの受け皿の前後周壁部間の幅に適合可能に形成していることを特徴とする。
【０００６】
【作用】
先ず、本発明のガスコンロ用マットを前後周壁部間の幅が最大に形成されている受け皿を備えたシステムコンロの受け皿上に敷設して使用する場合について説明する。
【０００７】
ガスコンロ用マットをシステムコンロの受け皿上に、ガスコンロ用マットの汁受け皿部の底面部外面をシステムコンロの受け皿の底面部上に当接、受止させるとともに、汁受け皿部の底面部に穿設されたバーナーヘッド露出用孔の夫々を受け皿上に突出して配設されたバーナーヘッドに合致させてバーナーヘッド露出用孔からバーナーヘッドを上方に突出させた状態に敷設する。
【０００８】
すると、上記ガスコンロ用マットの汁受け皿部の前後周壁部のいずれか一方に膨出形成された膨出壁部の突出端がシステムコンロの受け皿の前後周壁部のいずれか一方に当接した状態となるとともに、上記膨出壁部が形成された周壁部に平行する他方の周壁部がシステムコンロの受け皿の他方の周壁部に接した状態となって、上記ガスコンロ用マットは上記システムコンロの受け皿上に前後方向への妄動が規制された安定した状態に敷設される。
【０００９】
次に、本発明のガスコンロ用マットを前後周壁部間の幅が最小に形成されている受け皿を備えたシステムコンロの受け皿上に敷設して使用する場合について説明する。始めに、上記ガスコンロ用マットの前後周壁部のいずれか一方に膨出形成された膨出壁部を内方に向かって圧壊させて、上記ガスコンロ用マットの汁受け皿部における膨出壁部を形成している周壁部の外面を面一状態とするとともに、上記膨出壁部を形成している周壁部に突設された水平フランジ部も全面に亘って平坦な水平面に形成する。
【００１０】
しかる後、上記と同様の要領でガスコンロ用マットをシステムコンロの受け皿上に敷設する。すると、上記ガスコンロ用マットの汁受け皿部の前側周壁部がシステムコンロの受け皿の前側周壁部に接した状態となるとともに、汁受け皿部の後側周壁部がシステムコンロの受け皿の後側周壁部に接した状態となり、上記ガスコンロ用マットは上記システムコンロの受け皿上に前後方向への妄動が規制された安定した状態に敷設される。
【００１１】
【発明の実施の形態】
本発明のガスコンロ用マットの一例を図面を参照しつつ説明する。ガスコンロ用マット１はアルミニウム箔から形成されており、図１に示したように、平面横長長方形状の底面部21の四方周縁に上記システムコンロ10の受け皿11における前後左右周壁部112a、112b、112c、112dの高さに略合致した高さの前後左右周壁部22a 、22b 、22c 、22d を上方に向かってやや斜め外側方に突設して汁受け皿部２を形成しているとともに、上記前後左右周壁部22a 、22b 、22c 、22d の上端縁から水平方向に前後左右水平フランジ部4a、4b、4c、4dを夫々突設してなり、更に、上記底面部21には上下面に亘って貫通するバーナーヘッド露出用孔21a 、21a 、21a が前半部の左右部に二つ、後半部の中央部に一つづつ穿設されてなる。そして、上記汁受け皿部２の前後周壁部22a 、22b 間を、前後周壁部112a、112b間の幅が最小に形成されている受け皿11を備えたシステムコンロ10の受け皿11の前後周壁部112a、112b間の幅寸法に合致させている。
【００１２】
上記底面部21の大きさは、後述する前後周壁部112a、112b間の幅が最小に形成されている受け皿11を備えたシステムコンロ10の受け皿11の底面部111 の平面形状に略合致した大きさに形成されているとともに、上記前後左右水平フランジ部4a、4b、4c、4dの突出幅は、前後周壁部112a、112b間の幅が最小に形成されている上記受け皿11を備えたシステムコンロ10の受け皿11の水平載置部113a、113b、113c、113dの幅に略合致して形成されている。
【００１３】
更に、上記汁受け皿部２の後側周壁部22b の中央部には、該後側周壁部22b の上下端間の幅でもって上記汁受け皿部２の底面部21の後側中央部に穿設されたバーナーヘッド露出用孔21a の後側円弧状部に沿って該後側周壁部22b を外側方に膨出させることによって平面凸円弧状の膨出壁部３が形成されており、上記膨出壁部３の突出端、即ち、最も後端に位置する部分と上記汁受け皿部２の前側周壁部22a との間を、前後周壁部112a' 、112b' 間の幅が最大に形成されている受け皿11A を備えたシステムコンロ10A の受け皿11A の前後周壁部112a' 、112b' 間の幅寸法に合致させている。上記膨出壁部３を上記の如く平面凸円弧状に膨出形成すると、後述するように、内側方への圧壊を円滑且つ確実に行うことができるとともに、膨出壁部３を内側方に僅かに圧壊する場合にもその微調整を簡単且つ確実に行うことができる。
【００１４】
なお、上記前側及び左右水平フランジ部4a、4c、4dの夫々には段部5a、5c、5dを介して前後左右水平部6a、6b、6c、6dが突設されているとともに、この前側及び左右水平部6a、6c、6dの外側端縁の夫々にはシステムコンロの受け皿の前側及び左右垂直壁部116a、116c、116dを覆う被覆片7a、7c、7dが突設されている。
【００１５】
次に、上記ガスコンロ用マット１の使用要領について説明する。先ず、上記ガスコンロ用マット１を敷設するシステムコンロ10の受け皿11について説明すると、上記受け皿11は、図２に示したように、平面横長長方形状の底面部111 の四方周縁に一定高さの前後左右周壁部112a、112b、112c、112dを上方に向かってやや斜め外側方に延設しているとともに、該前後左右周壁部112a、112b、112c、112dの外端縁の夫々に水平方向に前後左右水平載置部113a、113b、113c、113dを延設してなる。
【００１６】
なお、上記受け皿11の前後左右水平載置部113a、113b、113c、113dの外周縁の夫々には、段部114a、114b、114c、114dを介して前後左右水平外周部115a、115b、115c、115dが延設されているとともに、該前後左右水平外周部115a、115b、115c、115dの外端縁の夫々には下方に向かって前後左右垂直壁部116a、116c、116c、116dが延設されている。
【００１７】
更に、上記受け皿11の底面部111 の前半部の左右部及び後半部の中央部の夫々にはバーナーヘッドＡ、Ａ、Ａが上記受け皿11の底面部111 上面よりも一定高さだけ突出した状態で配設されている。
【００１８】
始めに、本発明のガスコンロ用マット１を前後周壁部112a' 、112b' 間の幅が最大に形成されている受け皿11A を備えたシステムコンロ10A の受け皿11' 上に敷設して使用する場合について説明する。ガスコンロ用マット１をシステムコンロ10A の受け皿11A 上に、ガスコンロ用マット１の汁受け皿部２の底面部21外面をシステムコンロ10A の受け皿11A の底面部111'上面に当接、受止させるとともに、汁受け皿部２に穿設されたバーナーヘッド露出用孔21a 、21a 、21a の夫々に上記バーナーヘッドＡ、Ａ、Ａを下方から挿入して、ガスコンロ用マット１の汁受け皿部２の底面部21上に一定高さで突出した状態に敷設する。
【００１９】
すると、上記ガスコンロ用マット１の汁受け皿部２の前側周壁部22a と上記後側周壁部22b の膨出壁部３の突出端との間の間隔は、上記システムコンロ10A の受け皿11A の前後周壁部112a' 、112b' 間の間隔に適合して形成されていることから、上記ガスコンロ用マット１の汁受け皿部２の前側周壁部22a の外面がシステムコンロ10A の受け皿11A の前側周壁部112a' に接した状態となるとともに、汁受け皿部２の後側周壁部22b に膨出形成された膨出壁部３の突出端がシステムコンロ10A の受け皿11A の後側周壁部112b' に当接し、更に、上記ガスコンロ用マット１の後側水平フランジ部4bにおける上記膨出壁部３の上端縁の外側下面並びに前側及び左右水平フランジ部4a、4c、4dの下面が夫々上記システムコンロ10A の受け皿11A の水平載置部113a' 、113b' 、113c' 、113d' 上面に当接、受止された状態となる（図２乃至図４参照）。
【００２０】
よって、上記ガスコンロ用マット１は、その膨出壁部３の突出端及び前側周壁部112aを上記システムコンロ10A の受け皿11A の前後周壁部112a' 、112b' に当接させて前後方向への妄動を規制された安定した状態で上記システムコンロ10A の受け皿11A 上に敷設される。
【００２１】
次に、上記ガスコンロ用マット１を前後周壁部間の幅が最小に形成されている受け皿11を備えたシステムコンロ10の受け皿11上に敷設して使用する場合について説明する。先ず、上記ガスコンロ用マット１の汁受け皿部２の後側周壁部112bに膨出形成された膨出壁部３を内側方に向かって後側周壁部22b の平坦な面と面一状になるまで圧壊させて、図５に示したように、上記汁受け皿部２の後側周壁部22b を全面に亘って略平坦な面に形成するとともに、上記ガスコンロ用マット１の後側水平フランジ部4bも上記膨出壁部３を圧壊する際に該膨出壁部３の一部を水平面に変形させることにより全面に亘って略平坦な水平面に形成する。
【００２２】
しかる後、上記ガスコンロ用マット１をシステムコンロ10の受け皿11上にその底面部21外面をシステムコンロ10の受け皿11の底面部111 上面に当接、受止させるとともに、汁受け皿部２の底面部21に穿設されたバーナーヘッド露出用孔21a 、21a 、21a の夫々に上記バーナーヘッドＡ、Ａ、Ａを下方から挿入して、ガスコンロ用マット１の汁受け皿２の底面部21上に一定高さで突出した状態に敷設する。
【００２３】
すると、上記ガスコンロ用マット１の汁受け皿部２の前後周壁部22a 、22b 間の間隔が上記システムコンロ10の受け皿11の前後周壁部112a、112b間の間隔に適合するように構成されていることから、上記ガスコンロ用マット１は、その汁受け皿部２の前後左右周壁部22a 、22b 、22c 、22d の夫々が上記システムコンロ10の受け皿11の前後周壁部112a、112b、112c、112dに接した状態となり、上記ガスコンロ用マット１は上記システムコンロ10の受け皿11上に前後左右への妄動を規制された安定した状態に敷設される（図５乃至図７参照）。
【００２４】
上記では、前後周壁部112a' 、112b' 間の幅が最大に形成されている受け皿11A を備えたシステムコンロ10A と、前後周壁部112a、112b間の幅が最小に形成されている受け皿11を備えたシステムコンロ10とに適用した場合について説明したが、前後周壁部112a" 、112b" 間の幅が上記最大幅と上記最小幅との中間の幅に形成された受け皿11B を備えたシステムコンロ10B にも適用することができる。
【００２５】
即ち、上記ガスコンロ用マット１の膨出壁部３を全面的に内側方に圧壊するのではなく、その突出後端から内方に向かって所定幅だけ部分的に圧壊させて、上記膨出壁部３の突出端と上記ガスコンロ用マット１の汁受け皿部２の前側周壁部22a との間の間隔を、上記システムコンロ10B の受け皿11B の前後周壁部112a" 、112b" との間の間隔に略適合した状態とするとともに、圧壊時に一部分を水平状に変形、補修することによって平坦な水平面に形成すれば、上記前後周壁部112a" 、112b" 間の幅が最大幅と最小幅との中間の幅に形成された受け皿11B を備えたシステムコンロ10B の受け皿11B 上に前後方向への妄動が規制された安定した状態で敷設することができる。
【００２６】
なお、上記ではガスコンロ用マット１の膨出壁部３を平面凸円弧状に膨出形成した場合を説明したが、上記膨出壁部３の形状は特に限定されるものではなく、上記ガスコンロ用マット１の汁受け皿部２の前後周壁部22a 、22b のうちのいずれか一方の周壁部を外方に平面矩形状又は平面多角形状に膨出させて膨出壁部３を形成した場合であってもよい。
【００２７】
【発明の効果】
本発明のガスコンロ用マットは、平面横長長方形状の底面部の四方周縁に一定高さの周壁部を一体に形成してなる汁受け皿部の前半部と後半部とに夫々バーナーヘッド露出用孔を穿設しているとともに、上記周壁部の上端に所定幅の水平フランジ部を突設してなり、受け皿の前後周壁部間の幅が異なるシステムコンロの上記受け皿に敷設可能なガスコンロ用マットにおいて、上記汁受け皿部の前後周壁部のいずれか一方を外方に膨出させて圧壊可能な膨出壁部を形成し、この膨出壁部をそのままの状態、或いは、内側方に圧壊することによって、上記膨出壁部の突出端と該膨出壁部を形成した汁受け皿部の周壁部に平行する他方の周壁部との間の幅を上記システムコンロの受け皿の前後周壁部間の幅に適合可能に形成していることを特徴とするので、上記汁受け皿部の前後周壁部のいずれか一方を外方に膨出させて形成された膨出壁部をそのままの状態、或いは、完全に又は所定寸法だけ内側方に圧壊させることによって、上記ガスコンロ用マットの汁受け皿部の前後周壁部のいずれか一方に膨出形成された膨出壁部の突出端と該膨出壁部が形成された周壁部に平行する他方の周壁部との間の幅を、上記システムコンロの受け皿の前後周壁部間の幅に適合させることができる。よって、上記ガスコンロ用マットは、メーカーや機種毎に受け皿の前後周壁部間の幅が異なるシステムコンロにあっても、あらゆるシステムコンロの受け皿上に安定した状態に簡単且つ確実に敷設することができる。
【図面の簡単な説明】
【図１】本発明のガスコンロ用マットの斜視図である。
【図２】前後周壁部間の幅が最大に形成されている受け皿を備えたシステムコンロの受け皿上に本発明のガスコンロ用マットを敷設した状態を示した斜視図である。
【図３】図２のX1−X1線における断面図である。
【図４】図２のX2−X2線における断面図である。
【図５】前後周壁部間の幅が最小に形成されている受け皿を備えたシステムコンロの受け皿上に本発明のガスコンロ用マットを敷設した状態を示した斜視図である。
【図６】図５のX3−X3における断面図である。
【図７】図５のX4−X4における断面図である。
【符号の説明】
１  ガスコンロ用マット
２  汁受け皿部
21  底面部
21a バーナーヘッド露出用孔
22a 汁受け皿部の前側周壁部
22b 汁受け皿部の後側周壁部
22c 、22d 左右周壁部
３  膨出壁部
4a、4b、4c、4d  水平フランジ部
10  システムコンロ
11  受け皿
111 底面部
112a受け皿の前側周壁部
112b受け皿の後側周壁部
Ａ  バーナーヘッド
【図１】
0004115018.tif 000002
【図２】
0004115018.tif 000003
【図３】
0004115018.tif 000004
【図４】
0004115018.tif 000005
【図５】
0004115018.tif 000006
【図６】
0004115018.tif 000007
【図７】
0004115018.tif 000008